【手続補正書】
【提出日】平成26年2月7日(2014.2.7)
【手続補正１】
【補正対象書類名】特許請求の範囲
【補正対象項目名】全文
【補正方法】変更
【補正の内容】
【特許請求の範囲】
【請求項１】
記録に係る一連の処理のジョブを複数受信する受信部と、
記録媒体を搬送する搬送手段と、
前記記録媒体にインクを吐出して記録するラインインクジェットヘッドと、
前記ラインインクジェットヘッドにフラッシングをさせるフラッシング手段と、
前記受信部で受信したジョブを順次実行して、前記搬送手段で前記記録媒体を搬送し、前記ラインインクジェットヘッドで記録を実行する制御部と、
前記フラッシング手段は、第１のフラッシングを実行させた後、所定時間内に第２のフラッシングを行なわせ、前記フラッシング手段で前記第１のフラッシングの実行後、前記受信部で受信した前記複数のジョブのうち、前記第２のフラッシングを行う前に実行するジョブを決定する実行制御部と、
を備えることを特徴とする記録装置。
【請求項２】
前記実行制御部は、
前記フラッシング手段が前記第１のフラッシングをさせた後、前記所定時間が経過する前に、前記受信した前記複数のジョブのうち実行を完了することが可能な最大数のジョブを決定する請求項１に記載の記録装置。
【請求項３】
前記実行制御部は、
前記受信した前記複数のジョブを連続して順次ジョブを実行した場合の前記複数のジョブの実行が終了するタイミングを検出し、
前記複数のジョブのうち、終了するタイミングが、前記第２のフラッシングを実行するタイミングの前に到来し、前記第２のフラッシングを実行するタイミングに最も近いジョブを決定する請求項１又は２に記載の記録装置。
【請求項４】
前記実行制御部は、
前記複数のジョブの実行に付随して行われる処理に要する時間を反映した上で、前記複数のジョブの実行が終了するタイミングを検出する請求項３に記載の記録装置。
【請求項５】
前記フラッシング手段は、
前記第１のフラッシングの実行後、前記複数のジョブの実行を完了した場合、前記第１のフラッシングから所定時間が経過していない場合であっても、前記第２のフラッシングを実行させる請求項１ないし４のいずれか１項に記載の記録装置。
【請求項６】
前記記録媒体は、剥離紙にラベルが間隔をあけて貼付されたものであり、
前記ジョブは、前記ラベルへの記録に係る処理である請求項１ないし５のいずれか１項に記載の記録装置。
【請求項７】
記録に係る一連の処理であるジョブを複数受信し、
第１のフラッシングを実行し、
前記複数のジョブのうちの１のジョブに基づいて記録媒体を搬送してラインインクジェットヘッドで前記記録媒体にインクを吐出して記録し、
前記１のジョブに基づいて記録を行った後、前記受信した前記１のジョブを除く複数のジョブのうち所定時間が経過する前に実行するジョブを決定し、
決定されたジョブに基づいて前記記録媒体を搬送して前記ラインインクジェットヘッドで前記記録媒体にインクを吐出して記録し、
前記決定されたジョブに基づいて記録を行った後、第２のフラッシングを実行することを特徴とする記録装置の制御方法。
【手続補正２】
【補正対象書類名】明細書
【補正対象項目名】０００５
【補正方法】変更
【補正の内容】
【０００５】
上記目的を達成するために、本発明の記録装置は、記録に係る一連の処理のジョブを複数受信する受信部と、記録媒体を搬送する搬送手段と、前記記録媒体にインクを吐出して記録するラインインクジェットヘッドと、前記ラインインクジェットヘッドにフラッシングをさせるフラッシング手段と、前記受信部で受信したジョブを順次実行して、前記搬送手段で前記記録媒体を搬送し、前記ラインインクジェットヘッドで記録を実行する制御部と、前記フラッシング手段は、第１のフラッシングを実行させた後、所定時間内に第２のフラッシングを行なわせ、前記フラッシング手段で前記第１のフラッシングの実行後、前記受信部で受信した前記複数のジョブのうち、前記第２のフラッシングを行う前に実行するジョブを決定する実行制御部と、を備えることを特徴とする。
この構成によれば、１のフラッシングが終了した後、所定時間以内に次のフラッシングを確実に実行しつつ、ジョブの実行中、すなわち、記録に係る一連の処理の実行中に、フラッシングが行われ、当該処理が中断されることを防止できる。
【手続補正３】
【補正対象書類名】明細書
【補正対象項目名】０００６
【補正方法】変更
【補正の内容】
【０００６】
また、上記発明の記録装置であって、本発明は、前記実行制御部は、前記フラッシング手段が前記第１のフラッシングをさせた後、前記所定時間が経過する前に、前記受信した前記複数のジョブのうち実行を完了することが可能な最大数のジョブを決定する。
ここで、搬送方向に搬送される記録媒体に対して、ラインインクジェットヘッドからインクを吐出して記録を行う記録装置では、複数のジョブを実行する場合、各ジョブを連続して実行する方が処理効率がよく、スループットが向上する。
これを踏まえ、上記構成によれば、１のフラッシングを行った後、次のフラッシングを行う前に、実行を完了することが可能な最大数のジョブが連続して実行されるため、１のフラッシングが終了した後、所定時間以内に次のフラッシングを確実に実行しつつ、処理効率、スループットを向上できる。
【手続補正４】
【補正対象書類名】明細書
【補正対象項目名】０００７
【補正方法】変更
【補正の内容】
【０００７】
また、上記発明の記録装置であって、本発明は、前記実行制御部は、前記受信した前記複数のジョブを連続して順次ジョブを実行した場合の前記複数のジョブの実行が終了するタイミングを検出し、前記複数のジョブのうち、終了するタイミングが、前記第２のフラッシングを実行するタイミングの前に到来し、前記第２のフラッシングを実行するタイミングに最も近いジョブを決定する。
この構成によれば、未実行の各ジョブの終了タイミングと、所定時間の経過に伴って次のフラッシングを実行するタイミングとの比較結果に基づいて、次のフラッシングを行う前に、実行を完了することが可能な最大数のジョブを連続して実行することが可能となる。
【手続補正５】
【補正対象書類名】明細書
【補正対象項目名】０００８
【補正方法】変更
【補正の内容】
【０００８】
また、上記発明の記録装置であって、本発明は、前記実行制御部は、前記複数のジョブの実行に付随して行われる処理に要する時間を反映した上で、前記複数のジョブの実行が終了するタイミングを検出する。
ここで、ジョブの実行に際し、記録を実行する機構の準備に係る処理や、ソフトウェア的な各種処理、記録媒体の搬送速度を加速させる処理等が、付随して実行される。
これを踏まえ、上記構成によれば、ジョブの実行に付随して行われる処理に要する時間を反映した上で、未実行のジョブに含まれる各ジョブの実行が終了するタイミングを検出するため、より正確に当該タイミングを検出することが可能となる。
【手続補正６】
【補正対象書類名】明細書
【補正対象項目名】０００９
【補正方法】変更
【補正の内容】
【０００９】
また、上記発明の記録装置であって、本発明は、前記フラッシング手段は、前記第１のフラッシングの実行後、前記複数のジョブの実行を完了した場合、前記第１のフラッシングから所定時間が経過していない場合であっても、前記第２のフラッシングを実行させる。
この構成によれば、ジョブが完了した後、１のフラッシングからの所定時間の経過を待たずして、次のフラッシングを実行するため、ジョブが完了してから、次のフラッシングが実行されるまでの間に、待ち時間が発生することを防止でき、その分、処理に要する時間を短縮できる。
【手続補正７】
【補正対象書類名】明細書
【補正対象項目名】００１０
【補正方法】変更
【補正の内容】
【００１０】
また、上記発明の記録装置であって、本発明は、前記記録媒体は、剥離紙にラベルが間隔をあけて貼付されたものであり、前記ジョブは、前記ラベルへの記録に係る処理である。
この構成によれば、ジョブの実行中、すなわち、ラベルへの記録中に、フラッシングが行われることを好適に防止できる。
【手続補正８】
【補正対象書類名】明細書
【補正対象項目名】００１１
【補正方法】変更
【補正の内容】
【００１１】
また、上記目的を達成するために、本発明の記録装置の制御方法は、記録に係る一連の処理であるジョブを複数受信し、第１のフラッシングを実行し、前記複数のジョブのうちの１のジョブに基づいて記録媒体を搬送してラインインクジェットヘッドで前記記録媒体にインクを吐出して記録し、前記１のジョブに基づいて記録を行った後、前記受信した前記１のジョブを除く複数のジョブのうち所定時間が経過する前に実行するジョブを決定し、決定されたジョブに基づいて前記記録媒体を搬送して前記ラインインクジェットヘッドで前記記録媒体にインクを吐出して記録し、前記決定されたジョブに基づいて記録を行った後、第２のフラッシングを実行することを特徴とする。
【手続補正９】
【補正対象書類名】明細書
【補正対象項目名】００１２
【補正方法】削除
【補正の内容】